(57)【要約】【課題】  扉体の開閉駆動部の大型化やコストアップを招くことなく、不正行為による扉体の傾倒開放を確実に阻止する【解決手段】  軸部２１回りに回動して遊技球入賞口を開閉する扉体２と、電磁ソレノイド４とコイルバネ５よりなる駆動手段によって作動させられ、扉体２を起立回動させて遊技球入賞口１２を閉鎖するとともに扉体２を傾倒回動させて遊技球入賞口１２を開放する操作体３と、扉体２が起立回動させられる際に駆動手段４，５によって扉体２の側方から当該扉体２の回動軌跡内へ突出させられるストッパ体６と、当該ストッパ体６を突出方向へ付勢するコイルバネ６３とを備える。ストッパ体６は起立方向へ回動する扉体２の壁部２２によって一旦押し込まれた後、扉体２が起立した閉鎖位置へ至るとコイルバネ６３の付勢力で再び回動軌跡内へ突出して、そのストッパ片６４が係合凹所２２１に嵌合し、開放方向への扉体２の戻り回動を規制する。【選択図】        図３
2007301119.tif 000002
【特許請求の範囲】
【請求項１】
軸体により支持されて当該軸体回りに回動し、遊技球入賞口を開閉する扉体と、駆動手段と、当該駆動手段によって作動させられ、前記扉体を起立回動させて遊技球入賞口を閉鎖するとともに前記扉体を傾倒回動させて前記遊技球入賞口を開放する操作体と、前記扉体が起立回動させられる際に前記駆動手段によって前記扉体の側方から当該扉体の回動軌跡内へ突出させられるストッパ体と、当該ストッパ体を突出方向へ付勢する付勢手段とを具備し、前記ストッパ体は起立方向へ回動する前記扉体の外縁によって一旦押し込まれた後、前記扉体が起立した閉鎖位置へ至ると前記付勢手段の付勢力で再び回動軌跡内へ突出して開放方向への前記扉体の戻り回動を規制するようにした遊技球入賞装置。
【請求項２】
前記扉体は前記遊技球入賞口内に位置しており、前記ストッパ体はその先端が前記遊技球入賞口内へ突出させられている請求項１に記載の遊技球入賞装置。
【請求項３】
前記駆動手段は電磁ソレノイドを備え、当該電磁ソレノイドをそのプランジャが前記扉体の回動軸方向へ進退するように当該扉体の側方に配設するとともに、前記電磁ソレノイドと前記扉体の間に前記操作体と前記ストッパ体を配設した請求項１または２に記載の遊技球入賞装置。
【発明の詳細な説明】
【技術分野】
【０００１】
本発明は遊技球入賞装置に関し、特に、傾倒姿勢と起立姿勢に回動する扉体によって開閉される遊技球入賞口を備える遊技球入賞装置に関する。
【背景技術】
【０００２】
この種の遊技球入賞装置において、針金等を差し込んで扉体を無理に傾倒開放させる不正行為がなされることがあり、これを防止する構造が例えば特許文献１に示されている。ここでは、電磁ソレノイドによって上下動させられる制動片が、扉体の係合部に当接して当該扉体を開閉回動させるとともに、扉体が起立閉鎖した状態では上記係合部が制動片の垂直面に当接して扉体の傾倒回動が規制されるようになっている。  
【特許文献１】特開２００１−２６９４５５
【発明の開示】
【発明が解決しようとする課題】
【０００３】
しかし、上記従来の構造において、扉体の傾倒回動の規制を確実に行うためには、扉体の起立閉鎖が完了してもさらに電磁ソレノイドのプランジャを進出させて、扉体の係合部に制動片の垂直面を十分重ならせる必要がある。このため、電磁ソレノイドのストロークを必要以上に長くする必要があって、その大型化とコストアップを招くという問題があった。
【０００４】
そこで、本発明はこのような課題を解決するもので、扉体の開閉駆動部の大型化やコストアップを招くことなく、不正行為による扉体の傾倒開放を確実に阻止することができる遊技球入賞装置を提供することを目的とする。
【課題を解決するための手段】
【０００５】
上記目的を達成するために、本第１発明では、軸体（２１）により支持されて当該軸体（２１）回りに回動し、遊技球入賞口（１２）を開閉する扉体（２）と、駆動手段（４，５）と、当該駆動手段（４，５）によって作動させられ、扉体（２）を起立回動させて遊技球入賞口（１２）を閉鎖するとともに扉体（２）を傾倒回動させて遊技球入賞口（１２）を開放する操作体（３）と、扉体（２）が起立回動させられる際に駆動手段（４，５）によって扉体（２）の側方から当該扉体（２）の回動軌跡内へ突出させられるストッパ体（６）と、当該ストッパ体（６）を突出方向へ付勢する付勢手段（６３）とを具備し、ストッパ体（６）は起立方向へ回動する扉体（２）の外縁（２２）によって一旦押し込まれた後、扉体（２）が起立した閉鎖位置へ至ると付勢手段（６３）の付勢力で再び回動軌跡内へ突出して開放方向への扉体（２）の戻り回動を規制するようにする。
【０００６】
本第１発明においては、駆動手段によって扉体を起立回動させると同時に、同じく駆動手段によってストッパ体が扉体の回動軌跡内に突出させられて、開放方向への扉体の戻り回動が規制される。したがって、駆動手段のストロークを従来のように必要以上に長くする必要はなく、扉体の開閉駆動部の大型化やコストアップが避けられる。そして、扉体の回動軌跡内に突出するストッパ体によって不正行為による扉体の傾倒開放が確実に阻止される。
【０００７】
本第２発明では、上記扉体（２）は遊技球入賞口（１２）内に位置しており、上記ストッパ体（６）はその先端（６４）が遊技球入賞口（１２）内へ突出させられる。本第２発明においては、遊技球入賞口内へ突出したストッパ体の先端を遊技球入賞装置の前方から視認して、ストッパ体の状態を確実に確認することができる。
【０００８】
本第３発明では、上記駆動手段は電磁ソレノイド（４）を備え、当該電磁ソレノイド（４）をそのプランジャ（４１）が扉体（２）の回動軸方向へ進退するように当該扉体（２）の側方に配設するとともに、電磁ソレノイド（４）と扉体（２）の間に操作体（３）とストッパ体（６）を配設する。本第３発明においては、遊技球入賞装置の全高を低く抑えることができる。
【０００９】
なお、上記カッコ内の符号は、後述する実施形態に記載の具体的手段との対応関係を示すものである。
【発明の効果】
【００１０】
以上のように、本発明の遊技球入賞装置によれば、扉体の開閉駆動部の大型化やコストアップを招くことなく、不正行為による扉体の傾倒開放を確実に阻止することができる。
【発明を実施するための最良の形態】
【００１１】
図１にはパチンコ遊技機の正面図を示し、前方をガラス窓Ｗで閉鎖された遊技盤Ｐには遊技領域の下部中央位置に本発明の遊技球入賞装置（以下、単に入賞装置という）１が設けられている。入賞装置１は横長の基板１１を備えており、この基板１１が裏面の複数箇所で遊技盤Ｐにネジ止め固定されている。基板１１の中央には長方形の遊技球入賞口（以下、単に入賞口という）１２が設けられており、ここには同形の扉体２が設けられて開閉されるようになっている。なお、基板１１の前面には通常、飾り板が取り付けられるが、図示を省略してある。
【００１２】
図２には裏面側から見た上記入賞装置１の詳細を示す。入賞口１２を開閉する扉体２は左右の側縁下端部から突出する軸部２１が基板１１に設けた受け部１３に回転自在に支持されており、図示のように起立して入賞口１２を閉鎖する閉鎖位置と前方（図２の向こう側）へ傾倒して入賞口１２を開放する開放位置との間で回動可能である。
【００１３】
扉体２の一方の側縁に形成された壁部２２は下方へ延びてその下端側面にピン部２３が突出形成されている。そして、このピン部２３の上面外周に操作体３の屈曲する先端３１が当接している。操作体３は外周を一定幅の壁部とした角型状のもので、円形の基端３２は、基板１１とこれの裏面に取着された裏板（図示略）との間に架設された軸体３２１に回動自在に装着されている。なお、操作体３の上面には係合用の凹所３３が形成されている。
【００１４】
扉体２の側方の、基板１１の一端部には電磁ソレノイド４が固定されており、当該電磁ソレノイド４からは扉体２へ向けてその回動軸方向たる水平方向へプランジャ４１が突出している。図３に示すように、プランジャ４１の先端は円板状の係止板４２となっており、その外周縁が上記操作体３の凹所３３内に進入している。プランジャ４１の外周にはコイルバネ５が配設されてプランジャ４１を突出させており、この状態では操作体３はその先端が下方へ向かうように回動させられて、上記先端３１が扉体２のピン部２３を押圧し、扉体２を起立した閉鎖位置へ回動させている。電磁ソレノイド４に通電するとプランジャ４１はコイルバネ５のバネ力に抗して退入し、操作体３の先端３１がピン部２３から上方へ離れる。これにより、扉体２は自重による前方への傾倒開放が可能となる。
【００１５】
操作体３の上方位置には基板１１に形成された保持区画１４（図２）内に水平直線動可能にストッパ体６が収納されている。ストッパ体６は、コ字形の係止凹所６１，６２（図３）が基端と先端に形成された屈曲した板状体で、基端の係止凹所６１内にはプランジャ４１先端の係止板４２の外周縁が位置している。ここで、係止凹所６１の幅は係止板４２の厚みよりも大きくしてある。
【００１６】
また、先端の係止凹所６２と係止板４２との間にはコイルバネ６３が設けられ、そのバネ力でストッパ体６は突出方向（図３の右方）へ付勢されている。ストッパ体６の先端面にはストッパ片６４が突出形成されて、これが入賞口１２の側壁に設けた開口１２１（図５参照）から入賞口１２内へ突出している。ストッパ片６４は扉体２の側壁２２の回動軌跡内へ突出しており、起立した閉鎖位置にある扉体２の側面に形成された係合凹所２２１（図３）内へ進入しこれと嵌合して扉体２を閉鎖位置で位置決めしている。なお、ストッパ片６４は扉体に対向する前面を緩斜面とするとともに、後面は急斜面としてある（図５）。
【００１７】
扉体２を開放作動させる場合には、電磁ソレノイド４に通電するとそのプランジャ４１が退入し、既述のように操作体３の先端３１が扉体２のピン部２３から上方へ離れる。同時に、ストッパ体６が後退させられて先端のストッパ片６４が扉体２の係合凹所２２１内から脱出し、扉体側壁２２の回動軌跡外へ後退する。これにより、扉体２の位置決め状態が解消されて、扉体２は自重で前方へ傾倒して入賞口１２が開放される（図５）。
【００１８】
扉体２を閉鎖作動させる場合には、電磁ソレノイド４への通電を解消する。プランジャ４１はコイルバネ５のバネ力で突出させられ、既述のように、操作体３の先端３１が扉体２のピン部２３を押圧して、扉体２を起立方向へ回動させる。この際、扉体２が起立した閉鎖位置へ至るより前に、プランジャ４１の突出に伴ってストッパ体６のストッパ片６４が入賞口１２の側壁開口１２１から入賞口１２内へ進出し（図５）、扉体２側縁の回動軌跡内へ突出する。
【００１９】
扉体２が閉鎖位置へ向かって回動するとその途中でストッパ片６４は扉体２の側壁２２に当接して、一旦コイルバネ６３のバネ力に抗して押し込まれ、その後、扉体２が起立した閉鎖位置に至るとストッパ片６４は上記コイルバネ６３のバネ力によって再び進出して扉体側壁２２の係合凹所２２１内へ進入しこれに嵌合する（図３の状態）。このようにして扉体２が位置決めされる結果、針金等を使用して強制的に扉体２を開放しようとしても、扉体２は閉鎖位置に確実に保持される。この際、入賞口１２の側壁開口１２１から入賞口１２内へ進出している上記ストッパ片６４は遊技球入賞装置の前方から容易に視認することができるから、ストッパ体６の状態を確実に確認することができる。なお、基板１１の前面に飾り板が取り付けられている場合でも、前上方から覗き込むことによってストッパ体６の作動は確認できる。  
【００２０】
上記実施形態においては、扉体は自重で開放するものとしたが、操作体によって開放操作されるものであっても良い。また、駆動手段も電磁ソレノイドとコイルバネの組み合わせには限定されない。上記実施形態において、ストッパ体は必ずしも扉体の係合凹所に嵌合させる構造とする必要はなく、開放方向への回動を規制するように扉体に当接するものであっても良い。また、ストッパ体は必ずしも扉体の側縁の回動軌跡内に突出させる必要はなく、例えば扉体の上縁の回動軌跡内に突出させるようにしても良い。上記実施形態においては、ストッパ片を入賞口の側壁開口から入賞口内へ進出させることにより、遊技球入賞装置の前方からストッパ体の状態を容易に視認できるようにしたが、扉体の少なくともストッパ片との係合部付近を透明にして、扉体越しにストッパ体の状態を視認できるようにしても良い。
【図面の簡単な説明】
【００２１】
【図１】本発明の一実施形態を示す、遊技球入賞装置を備えたパチンコ遊技機の正面図である。
【図２】遊技球入賞装置の裏面図である。
【図３】扉開閉機構を後方から見た斜視図である。
【図４】扉開放時の遊技球入賞口の部分拡大斜視図である。
【図５】扉閉鎖開始時の遊技球入賞口の部分拡大斜視図である。
【符号の説明】
【００２２】
１…遊技球入賞装置、１２…遊技球入賞口、２…扉体、２１…軸部（軸体）、２２…壁部（外縁）、３…操作体、４…電磁ソレノイド（駆動手段）、５…コイルバネ（駆動手段）、６…ストッパ体、６３…コイルバネ（付勢手段）、６４…ストッパ片（先端）。
【図１】
2007301119.tif 000003
【図２】
2007301119.tif 000004
【図３】
2007301119.tif 000005
【図４】
2007301119.tif 000006
【図５】
2007301119.tif 000007